(57)【要約】【課題】被介護者の体の下に敷かれた着衣や寝具のみならず、体の前面を覆う着衣等へ排泄物が付着することを確実に防止できる防水シートを提供する。【解決手段】吸水性を有する第１の布５と、防水性を有する第２の布６が重ね合わされてなり、第１の辺２ａ乃至第４の辺２ｄで囲まれる四角形状のシート体２と、第１の布５に設けられる第１の係着部３と、第２の布６に設けられ、第１の係着部３に係着する第２の係着部４を備え、シート体２は、第１の辺２ａ及び第２の辺２ｂが被介護者の体軸に沿うように、第１の布５側が被介護者の胴部側に向けられ、かつ胴部に巻き付けられた状態で、被介護者の着衣の内側に装着される。【選択図】図１
0003226842.tif 000002
【実用新案登録請求の範囲】
【請求項１】
吸水性を有する第１の布と、防水性を有する第２の布が重ね合わされてなり、対向する第１及び第２の辺と、対向する第３及び第４の辺で囲まれる四角形状のシート体と、
前記第１の布に設けられる第１の係着部と、
前記第２の布に設けられ、前記第１の係着部に係着する第２の係着部を備え、
前記第１の係着部は、前記第１の辺寄り、または前記第２の辺寄りに配置され、
前記第２の係着部は、前記第１の辺寄り及び前記第２の辺寄りのうち、前記第１の係着部が配置されない側に配置され、
前記シート体は、前記第１及び第２の辺が被介護者の体軸に沿うように、前記第１の布側を前記被介護者の胴部側に向い合せてこの胴部に巻き付けた状態で、前記被介護者の着衣の内側に装着されることを特徴とする防水シート。
【請求項２】
前記シート体の前記第１の辺寄り及び前記第２の辺寄りに、それぞれ第３の布が設けられ、
前記第１の布は、少なくとも木綿繊維からなり、
前記第２の布は、防水性樹脂成分が含有され、
前記第３の布は、木綿繊維と、合成繊維からなることを特徴とする請求項１に記載の防水シート。
【請求項３】
前記第１乃至第４の辺は、それぞれ少なくとも前記第１の布を被覆する被覆部が形成され、
前記被覆部は、防水性を有することを特徴とする請求項１又は請求項２に記載の防水シート。
【請求項４】
前記第１の布は、その中央に、四角形状をなす平型のおむつの四隅をそれぞれ固定するための複数の固定部材が取り付けられ、
複数の前記固定部材は、それぞれ布片であることを特徴とする請求項１乃至請求項３のいずれか１項に記載の防水シート。
【考案の詳細な説明】
【技術分野】
【０００１】
本考案は、排泄物が着衣やシーツ等に浸透することを防止するための防水シートに係り、特に、被介護者の胴部に巻き付けて装着する防水シートに関する。
【背景技術】
【０００２】
従来、寝たきりの被介護者には、平型のおむつと、このおむつを被覆する防水性のカバーが装着され、尿等の排泄物がカバーの外に漏れ出すことを防止しようとしていた。
しかし、カバーと胴部との隙間や、脚との隙間から排泄物が漏れ出すことがあり、被介護者の着衣や、敷シーツ、掛ふとん等へ漏出物が付着して浸透することを完全に防止することができなかった。そのため、被介護者の着衣を交換してその体を清拭し、さらに敷シーツ等の交換を行う頻度が多くなり、被介護者と介護者双方の負担となっていた。
そこで、近年、漏出物が着衣や敷シーツ等に付着することを防止するための技術が開発されており、それに関して既にいくつかの発明又は考案が開示されている。
【０００３】
特許文献１には「防水シート」という名称で、ベッドの汚れの防止を目的とした防水シートに関する考案が開示されている。
以下、特許文献１に開示された考案について説明する。特許文献１に開示された考案は、重ね合わされた表シート材及び裏シート材を備える略方形の防水シートであって、表シート材はタオル地から形成され、裏シート材は防水機能を有する素材から形成されることを特徴とする。
このような特徴を有する考案においては、寝具の上にタオル地の表シート材を上向きにして防水シートを広げ、その上に寝間着を着用した被介護者を寝かせて使用する。そのため、表シート材の肌触りと、寝心地を向上させることができる。また、裏シート材を、防水機能を有する素材で形成することにより、飲食物がこぼれた場合や尿漏れ等の際の寝具の汚れを最小限に留めることができ、汚れた寝具の取り替え作業の負担を軽減することができる。
【０００４】
次に、特許文献２には「介護用の防水シート」という名称で、ベッドの汚れの防止を目的とした防水シートに関する発明が開示されている。
以下、特許文献２に開示された発明について説明する。特許文献２に開示された発明は、横幅方向に長い防水シートの中央部に、防水シートより小さいサイズの吸水体を配してなり、この吸水体は高分子吸収材とパルプの混合物を吸水紙で覆っていることを特徴とする。
このような特徴を有する発明においては、ベッドの適切な位置に吸水体を上向きにして防水シートを広げ、この防水シートの両端をベッドマットとベッドの間に織り込んで固定する。そうしておいて、吸水体の上に着衣を着用した被介護者を寝かせて使用する。よって、防水シートはベッド上の適切な位置にしっかりと固定されるため、位置ずれや、しわなどの緩みが起こりにくい。また、漏れた排泄物は速やかに吸収体前面に広がり、高分子吸収材に吸収される。したがって、排泄物が圧力などによって再放出されないため、ベッドマットを汚染から守ることができる。
【先行技術文献】
【特許文献】
【０００５】
【特許文献１】実用新案登録第３１６２９５７号
【特許文献２】特開２０１８−８３０３２号公報
【考案の概要】
【考案が解決しようとする課題】
【０００６】
しかしながら、特許文献１に開示された考案においては、被介護者の体の下に防水シートを敷いて使用するため、被介護者の背面に漏れ出した排泄物によって、被介護者の背面の着衣が汚れることを防止できない。また、被介護者の前面に漏れ出した排泄物を吸収することもできないので、この前面を覆う着衣や、掛シーツ、掛ふとんが汚れることを防止できない。そのため、着衣や掛けシーツ等の交換が依然として必要となり、寝具の汚れを最小限に留めることができたとは言えないものと考えられる。特に着衣の交換については、被介護者を一旦裸にしなければならず、低温の冬季には、冷えや風邪の原因になるおそれがある。
【０００７】
次に、特許文献２に開示された発明においても、被介護者の体の下に防水シートを敷いて使用するため、特許文献１に開示された考案と同様の課題を有していると考えられる。
【０００８】
本考案は、このような従来の事情に対処してなされたものであり、被介護者の体の下に敷かれた着衣や寝具のみならず、被介護者の前面を覆う着衣やこの前面に掛けられた寝具へ排泄物が付着することを確実に防止できるために、被介護者及び介護者双方の負担を軽減し得る防水シートを提供することを目的とする。
【課題を解決するための手段】
【０００９】
上記目的を達成するため、第１の考案は、吸水性を有する第１の布と、防水性を有する第２の布が重ね合わされてなり、対向する第１及び第２の辺と、対向する第３及び第４の辺で囲まれる四角形状のシート体と、第１の布に設けられる第１の係着部と、第２の布に設けられ、第１の係着部に係着する第２の係着部を備え、第１の係着部は、前記第１の辺寄り、または前記第２の辺寄りに配置され、第２の係着部は、第１の辺寄り及び第２の辺寄りのうち、第１の係着部が配置されない側に配置され、シート体は、第１及び第２の辺が被介護者の体軸に沿うように、第１の布側が被介護者の胴部側に向けられ、かつ胴部に巻き付けられた状態で、被介護者の着衣の内側に装着されることを特徴とする。
【００１０】
このような構成の考案において、シート体は、第１及び第２の辺が被介護者の体軸に沿うように、胴部に巻き付けて装着されるため、第３及び第４の辺は、いずれも平均的な体型の被介護者の胴部を１周する以上の長さを有することが必要である。望ましくは、第３及び第４の辺は、シート体のうち、第１の辺寄りの部分と、第２の辺寄りの部分が重なり合うことで、腹部を被覆する合わせ部を形成可能な程度の長さを有していると良い。これは、被介護者の前面からの漏出物を掛シーツ等に付着、浸透させないためである。
また、シート体は、被介護者の着衣の内側に装着されることから、被介護者の背面のほか、前面を覆う着衣が漏出物によって汚れることが防止される。
さらに、第１及び第２の係着材として、例えば、面ファスナー、線ファスナー、点ファスナーのほか、紐体が用いられる。
なお、本願における「防水性」とは、ＪＩＳ規格Ｌ４２１２に記載された「防水シーツ」の定義「排泄物が敷ふとん又はベッドまで浸透することを防止するために用いる防水機能がある」と同義である。
【００１１】
上記構成の考案においては、シート体を、おむつカバーと、着衣の間に配置し、さらにシート体の第１の布側を胴部側に向い合せて巻き付けた後、第１の係着部と第２の係着部を互いに係着させると、シート体が被介護者の胴部を全周に亘って被覆した状態となる。これにより、被介護者が装着したカバーと胴部との隙間や、脚との隙間から漏れ出した漏出物は、もれなく第１の布に吸収される。
また、吸収された漏出物は、第２の布を透過しないことから、被介護者の着衣、敷シーツ、掛シーツ等に付着し、浸透してしまうことが防止される。
【００１２】
次に、第２の考案は、第１の考案において、シート体の第１の辺寄り及び第２の辺寄りに、それぞれ第３の布が設けられ、第１の布は、少なくとも木綿繊維からなり、第２の布は、防水性樹脂成分が含有され、第３の布は、木綿繊維と、合成繊維からなることを特徴とする。
このような構成の考案において、第１の布として、例えば、木綿繊維といった吸水性繊維のみからなるタオル生地や、木綿繊維と合成繊維からなる混紡生地が使用される。
また、第２の布としては、例えば、防水性を有する合成樹脂繊維からなる布体や、防水性を有しない繊維からなる基材を防水性樹脂成分でコーティングしてなる布体が使用される。
さらに、第３の布は、シート体を被介護者の胴部に巻き付けた際に、このシート体のうち、第１の辺寄りの部分と第２の辺寄りの部分が重なり合って形成される合わせ部に設けられる。
【００１３】
上記構成の考案においては、第１の考案の作用に加えて、第１の布が少なくとも木綿繊維からなるため、吸水性が良好であるとともに、柔軟性も良好となる。
また、第２の布は、防水性樹脂成分が含有されるため、第１の布に吸収された水分の透過が防止される。さらに、第３の布は、木綿繊維と、合成繊維からなることから、合成繊維の種類を選択することで、木綿繊維の持つ高い吸水性のほかにも、例えば、上記合わせ部の強度や形態維持性を向上させることができる。
【００１４】
続いて、第３の考案は、第１又は第２の考案において、第１乃至第４の辺は、それぞれ少なくとも第１の布を被覆する被覆部が形成され、被覆部は、防水性を有することを特徴とする。
このような構成の考案において、被覆部は、第２の布が第１の布側に折り畳まれて、第１の布が２枚の第２の布によって挟まれる折り畳み構造のほか、第１及び第２の布とは異なる布体が第１及び第２の布の双方を挟み込んでこれらを被覆する挟持構造が考えられる。
上記構成の発明においては、第１又は第２の考案の作用に加えて、少なくとも第１の布が防水性を有する被覆部によって被覆されるため、一旦第１の布に吸収された排泄物がこの第１の布からしみ出すことが防止される。
【００１５】
さらに、第４の考案は、第１乃至第３のいずれかの考案において、第１の布は、その中央に、四角形状をなす平型のおむつの四隅をそれぞれ固定するための複数の固定部材が取り付けられ、複数の固定部材は、それぞれ布片であることを特徴とする。
このような構成の考案において、一時的に排泄物の吸収量を高めたい場合に、第１の布と、被介護者の間に平型のおむつを追加することが考えられる。この場合、追加されたおむつの固定が問題となる。
そのため、上記構成の考案においては、第１乃至第３のいずれかに記載の考案の作用に加えて、おむつの四隅が複数の固定部材によって固定されることで、シート体を体に巻き付ける際や、その後においてもおむつの位置ずれが防止される。
【考案の効果】
【００１６】
第１の考案によれば、シート体が被介護者の胴部を全周に亘って被覆するため、被介護者が装着したおむつのカバーと胴部との隙間等から漏れ出した漏出物が、もれなく第１の布に吸収され、さらに吸収された漏出物が第２の布を透過することを防止できる。
したがって、被介護者の体の下に敷かれた着衣や寝具のみならず、被介護者の前面を覆う着衣やこの前面に掛けられた寝具へ排泄物が付着することを確実に防止できる。そのため、被介護者の着替えの頻度や洗濯物の量が従来よりも減少し、被介護者及び介護者双方の負担を軽減することができる。
【００１７】
第２の考案によれば、第１の考案の効果に加えて、被介護者に直接密着する第１の布が吸水性や柔軟性が良好であり、かつ第２の布が水分の透過を防止するため、排泄物が第１の布に吸収されている場合であっても、シート体の装着時の不快感を軽減することができると同時に、排泄物の漏れ出しを防止することが可能である。
また、第３の布は、合わせ部の強度や形態維持性を向上させることができるので、合わせ部の劣化を抑制でき、防水シートを繰り返し洗濯して使用する場合にも、その製品寿命を延ばすことができる。
【００１８】
第３の考案によれば、第１又は第２の考案の効果に加えて、被覆部によって、一旦第１の布に吸収された排泄物がこの第１の布からしみ出すことが防止されるから、排泄物の漏れ出しを一層強力に防止できる。
【００１９】
第４の考案によれば、第１乃至第３のいずれかの考案の効果に加えて、複数の固定部材によって、シート体を体に巻き付ける際等におむつの位置ずれが防止されることから、排泄物が追加されたおむつによって適切に吸収されなかったり、このおむつがしわになって寝心地が悪化したりすることを防止できる。
【図面の簡単な説明】
【００２０】
【図１】（ａ）及び（ｂ）は、それぞれ本発明の実施の形態に係る防水シートを第１の布側から見た場合の平面図及び第２の布側から見た場合の平面図であり、（ｃ）は（ａ）におけるＡ−Ａ線矢視断面図であり、（ｄ）は（ａ）におけるＢ−Ｂ線矢視断面図である。
【図２】本発明の実施の形態に係る防水シートの使用状態図である。
【図３】（ａ）は本発明の実施の形態の第１の変形例に係る防水シートを第１の布側から見た場合の平面図であり、（ｂ）は（ａ）におけるＣ−Ｃ線矢視断面図であり、（ｃ）は本発明の実施の形態の第２の変形例に係る防水シートを、（ａ）におけるＣ−Ｃ線と同一位置からみた場合の矢視断面図である。
【図４】（ａ）及び（ｂ）は、それぞれ本発明の実施の形態の第３及び第４の変形例に係る防水シートを第１の布側から見た場合の平面図である。
【考案を実施するための形態】
【実施例】
【００２１】
本考案の実施の形態に係る防水シートについて、図１乃至図４を用いて詳細に説明する。図１（ａ）及び図１（ｂ）は、それぞれ本発明の実施の形態に係る防水シートを第１の布側から見た場合の平面図及び第２の布側から見た場合の平面図であり、図１（ｃ）は図１（ａ）におけるＡ−Ａ線矢視断面図であり、図１（ｄ）は図１（ａ）におけるＢ−Ｂ線矢視断面図である。
図１（ａ）乃至図１（ｄ）に示すように、実施例１に係る防水シート１は、シート体２と、このシート体２に設けられる第１の係着部３と、この第１の係着部３に係着する第２の係着部４を備える。
このうち、シート体２は、吸水性を有する第１の布５と、防水性を有する第２の布６が、図１（ｃ）及び図１（ｄ）に示すように、熱圧着シート９Ａを介した熱圧着によって貼り合わされることで、重ね合わされたものである。
また、シート体２は、第１の辺２ａと、第２の辺２ｂと、第３の辺２ｃと、第４の辺２ｄで囲まれた長方形状である。すなわち、第１の辺２ａと、第２の辺２ｂが互いに対向する短辺であり、第３の辺２ｃと、第４の辺２ｄが互いに対向する長辺である。
なお、後に図２を用いて説明するように、第１の辺２ａ及び第２の辺２ｂの長さは、いずれも平均的な体型の被介護者５０の胴部５１から膝５３を被覆できる程度の長さを有する。また、第３の辺２ｃ及び第４の辺２ｄの長さは、いずれも上記体型の被介護者５０の胴部５１を１周する以上の長さを有する。ただし、第１の辺２ａ乃至第４の辺２ｄの各長さの比率は、上記以外であっても良い。
【００２２】
さらに、シート体２は、第１の布５の第１の辺２ａ寄りと、第２の布６の第２の辺２ｂ寄りに、それぞれ同一の面積を有する長方形状の第３の布７，８が設けられる。詳細には、第３の布７は、その周縁が、第１の布５に縫着されたものである。
また、一方の第３の布８は、その全面が、熱圧着シート９Ｂを介した熱圧着によって第２の布６に貼着されたものである。このように、第３の布８を、第２の布６に縫着でなく熱圧着した理由は、縫着によって第２の布６に微小な孔が形成されることでその防水性が損なわれることを回避するためである。
なお、熱圧着シート９Ａ，９Ｂは、いずれも公知のものが使用される。
【００２３】
詳細には、第１の布５は、例えばループ状のパイルを有するタオル生地からなる。このタオル生地は、例えば、木綿繊維のみや、木綿繊維とポリエステルといった合成繊維からなる混紡繊維から形成される。なお、混紡繊維が使用される場合、木綿繊維と合成繊維の配合比率は、例えば、重量％で８０％と２０％である。
次に、第２の布６は、基材を、例えばポリウレタンといった防水性樹脂成分でコーティングして形成される。また、基材としては、ポリエステルやナイロンといった合成樹脂からなる布が使用される。これ以外にも、第２の布６は、防水性を有する合成樹脂繊維からなる布体が使用されても良い。
さらに、第３の布７，８は、木綿繊維と、ポリエステル等の合成繊維からなる混紡生地から形成される。この場合の木綿繊維と合成繊維の配合比率は、例えば重量％で３５％と６５％である。そのため、第３の布７，８は、吸水性を有するとともに、第１の布５よりも強度及び形態維持性が向上している。また、第３の布７，８は、例えばツイル織りされたものが使用される。
【００２４】
次に、第１の係着部３は、第１の布５における第１の辺２ａ寄り、かつ第３の辺２ｃ寄りに配置される。詳細には、第１の係着部３は、第３の布７の表面に重ねて配置され、予め第３の布７に縫着された面ファスナーである。ただし、第１の係着部３は、上記の代わりに、第１の布５における第１の辺２ａの全長に沿って配置されても良い。
一方、第２の係着部４は、第２の布６において、第１の係着部３が配置されない側に配置される。そのため、上記の場合では、第２の係着部４は、第２の辺２ｂ寄り、かつ第３の辺２ｃ寄りに配置される。このほか、第２の係着部４は、第２の布６における第２の辺２ｂの全長に沿って配置されても良い。なお、第２の係着部４も、第３の布８の表面に重ねて配置され、予め第３の布８に縫着された面ファスナーである。
【００２５】
続いて、本発明の実施の形態に係る防水シートの作用について、図２を用いて説明する。図２は、本発明の実施の形態に係る防水シートの使用状態図である。なお、図１で示した構成要素については、図２においても同一の符号を付して、その説明を省略する。また、被介護者の着衣の図示も省略する。
図２に示すように、防水シート１において、シート体２は、第１の辺２ａ及び第２の辺２ｂが被介護者５０の体軸ＡＢに沿うように、第１の布５側が被介護者５０の胴部５１側に向けられ、かつ胴部５１に巻き付けられた状態で、被介護者５０の着衣の内側に装着される。すなわち、シート体２は、第２の布６を外側に向けて、被介護者５０が着用するおむつカバー６０と、着衣の間に挟まれて装着される。
【００２６】
具体的な防水シート１の装着手順としては、まず第１の布５を上側に向けて被介護者５０の背中と臀部の下に敷いた後、シート体２の第２の辺２ｂ寄りの一部分を、第１の布５が被介護者５０の腹部５２側のおむつカバー６０に直接接触するように掛ける。
次に、腹部５２に掛けた第２の辺２ｂ寄りの一部分の上から、第１の辺２ａ寄りの一部分を、第２の布６を上側にして掛ける。そうすることにより、被介護者５０の腹部５２側において、第１の係着部３が第２の係着部４の上に重なり、これらが互いに係着し合うとともに、第３の布７，８同士が重なり合う合わせ部１０が形成される。すなわち、この合わせ部１０は、被介護者５０のおむつカバー６０に接触する第２の辺２ｂ寄りのシート体２の上に、第１の辺２ａ寄りのシート体２が重なったものである。
【００２７】
したがって、上記の装着方法によって、シート体２が被介護者５０の胴部５１に装着されると、シート体２が、被介護者５０の胴部５１から膝５３までを、これらの全周に亘って被覆した状態となる。
このとき、被介護者５０の背中側においては、第１の布５が、おむつカバー６０の後面や左右両側面を取り囲んでいる。
そのため、おむつカバー６０と被介護者５０の背中との隙間や、おむつカバー６０と臀部との隙間から漏れ出した漏出物は、それぞれベッド側に下降するので、もれなく被介護者５０の背中側や左右体側面に巻き付けられた第１の布５に吸収される。
しかし、第２の布６が防水性を有しているため、背中側等に巻き付けられた第１の布５に吸収された漏出物は、第２の布６を透過することが防止される。したがって、漏出物が被介護者５０の着衣の背中側、敷シーツ、掛シーツ等に付着し、浸透することが防止される。
【００２８】
さらに、被介護者５０の腹部５２側においては、おむつカバー６０に第２の辺２ｂ寄りの第１の布５が直接接触し、さらにこの部分の第２の布６の上から第３の布８、第３の布７、第１の辺２ａ寄りの第１の布５が順に重ねられている。そのため、おむつカバー６０と腹部５２との隙間や、おむつカバー６０と鼠径部の隙間から漏れ出した漏出物も、もれなく第１の布５や、第３の布７，８に吸収される。
そして、第１の布５や、第３の布７，８に吸収された漏出物は、二重になった第２の布６，６によって透過が防止されることから、被介護者５０の腹部５２を覆う着衣や、掛シーツ、掛ふとん等に付着し、浸透することが防止される。
加えて、第１の係着部３と第２の係着部４に互いに係着した状態のとき、シート体２の第２の辺２ｂ寄りの部分を押さえた状態で、第１の辺２ａ寄りの部分を把持して引き剥がすことによって、合わせ部１０を開放する。そのため、第１の布５よりも強度及び形態維持性の高い第３の布７，８が、それぞれ第１の辺２ａ寄りと、第２の辺２ｂ寄りに設けられることにより、合わせ部１０のよじれや折れといった劣化が抑制される。
【００２９】
以上説明したように、防水シート１によれば、被介護者５０の背中側と腹部５２側において、それぞれ被介護者５０の着衣、敷シーツ及び掛シーツ、敷ふとん及び掛ふとんのいずれにも浸透することが防止されるため、被介護者５０の着替えの頻度や洗濯物の量が従来よりも減少し、被介護者５０及び介護者双方の負担を軽減することができる。
また、シート体の第１の布５側を胴部５１側に向い合せて巻き付けるという簡単な作業により、胴部５１を全周に亘って被覆できる。よって、経験の浅い介護者であっても、速やかに防水シート１を使いこなすことができる。
さらに、この巻き付けるという作業においては、寝たきりの被介護者５０を介護者が抱え上げる必要がない。よって、この点からも、被介護者５０及び介護者双方の負担を軽減することができる。
【００３０】
さらに、防水シート１によれば、第１の布５及び第３の布８が被介護者５０に接触するため、肌触りが良好である。加えて、漏出物は、速やかに第１の布５及び第３の布８によって吸収されるため、漏出物が被介護者５０の皮膚面に付着し、不快感や疾患の原因になることを防止できる。
また、第３の布７，８が設けられることにより、合わせ部１０のよじれや折れといった劣化が抑制されるので、長期に亘り装着や洗濯が繰り返された場合にも、防水シート１が型崩れすることが少なく、製品寿命を延ばすことができる。
なお、防水シート１は、タオル生地や、防水性を有する生地等、比較的安価な生地を、熱溶着する方法によって容易に製造することができる。そのため、製造コストが廉価となるので、防水シート１が介護施設、病院、または一般家庭等へ容易に導入されることが期待できる。
【００３１】
続いて、実施例の第１の変形例に係る防水シートの構成について、図３（ａ）及び図３（ｂ）を用いて説明する。図３（ａ）は本発明の実施の形態の第１の変形例に係る防水シートを第１の布側から見た場合の平面図であり、図３（ｂ）は図３（ａ）におけるＣ−Ｃ線矢視断面図である。なお、図１及び図２で示した構成要素については、図３（ａ）及び図３（ｂ）においても同一の符号を付して、その説明を省略する。
図３（ａ）及び図３（ｂ）に示すように、実施例の第１の変形例に係る防水シート１Ａにおいて、第１の辺２ａ乃至第４の辺２ｄは、それぞれ第１の布５を被覆する被覆部１１が形成される。この被覆部１１は、第２の布６の面積を第１の布５の面積よりも広めにすることで、第２の布６が第１の布５側に折り畳まれたものである。
【００３２】
詳細には、図３（ｂ）に示すように、被覆部１１においては、第１の布５の周縁５ａの裏側からおもて面にかけて、第２の布６により熱圧着シート９Ａを介して被覆される。そのため、被覆部１１は、第１の布５の周縁５ａが２枚の第２の布６によって挟まれた折り畳み構造になって、防水性を発揮する。これ以外の防水シート１Ａの構成は、実施例に係る防水シート１の構成と同様である。
【００３３】
上記構成の防水シート１Ａにおいては、被覆部１１において、周縁５ａが２枚の第２の布６によって挟まれた折り畳み構造になっているため、一旦第１の布５に吸収された排泄物が周縁５ａからしみ出すことが防止される。また、被覆部１１は、第１の辺２ａ乃至第４の辺２ｄにおいて、第１の布５と第２の布６との熱圧着を補強し、これらが分離することを防止するという作用を有する。
したがって、防水シート１Ａによれば、被覆部１１によって、排泄物の漏れ出しを一層強力に防止できる。また、被覆部１１は、第１の布５と第２の布６が分離することを防止するから、使用を続ける間に劣化し、互いに剥がれてくるといったことも防止可能である。これ以外の防水シート１Ａの作用及び効果は、実施例に係る防水シート１の作用及び効果とそれぞれ同様である。
【００３４】
次に、実施例の第２の変形例に係る防水シートの構成について、図３（ｃ）を用いて説明する。図３（ｃ）は本発明の実施の形態の第２の変形例に係る防水シートを、図３（ａ）におけるＣ−Ｃ線と同一位置からみた場合の矢視断面図である。なお、図１及び図２で示した構成要素については、図３（ｃ）においても同一の符号を付して、その説明を省略する。
実施例の第２の変形例に係る防水シート１Ｂにおいて、第１の辺２ａ乃至第４の辺２ｄは、それぞれ第１の布５と、第２の布６を被覆する被覆部１２が形成される。この被覆部１２は、第１の布５や第２の布６とは異なる防水性布体１３が、第１の布５と、第２の布６を挟み込む挟持構造である。なお、防水性布体１３の材質は、第２の布６の材質と同一であるが、異なっていても良い。
【００３５】
詳細には、図３（ｃ）に示すように、第１の布５と、第２の布６が重なってなる周縁１４，１４は、熱圧着シート１５を介して、防水性布体１３が熱圧着されている。これ以外の防水シート１Ｂの構成は、実施例に係る防水シート１の構成と同様である。
上記構成の防水シート１Ｂにおいては、被覆部１２は、防水性布体１３が、第１の布５と、第２の布６を挟み込む挟持構造になっているため、防水シート１Ａと同様の作用及び効果を発揮できる。
【００３６】
さらに、実施例の第３及び第４の変形例に係る防水シートの構成について、図４を用いて説明する。図４（ａ）及び図４（ｂ）は、それぞれ本発明の実施の形態の第３及び第４の変形例に係る防水シートを第１の布側から見た場合の平面図である。なお、図１乃至図３で示した構成要素については、図４においても同一の符号を付して、その説明を省略する。
図４（ａ）に示すように、実施例の第３の変形例に係る防水シート１Ｃにおいては、第１の布５は、その略中央に、四角形状をなす平型のおむつ６１の四隅６１ａをそれぞれ固定するための４つの固定部材１６が取り付けられる。
４つの固定部材１６は、それぞれ短冊状の布片である。これらの固定部材１６は、その長手方向が、それぞれ第１の辺２ａ乃至第４の辺２ｄに対し、いずれも４５度傾斜した状態で、第１の布５の表面に取り付けられる。具体的には、固定部材１６は、例えば木綿繊維や合成繊維からなり、その長手方向の端部１６ａ，１６ａが、第１の布５の表面に縫着されたものである。よって、端部１６ａと端部１６ａの間では、固定部材１６と第１の布５との間に、隙間Ｓ１６が生じている。
【００３７】
上記構成の防水シート１Ｃにおいては、おむつ６１の四隅６１ａを、四箇所の隙間Ｓ１６にそれぞれ差し込むことにより、四隅６１ａが４つの固定部材１６によって固定される。よって、シート体２を胴部５１に巻き付ける際や、その後に被介護者５０が仰臥位となった場合においても、おむつ６１の位置ずれが防止される。
したがって、一時的に排泄物の吸収量を高めたい場合に、排泄物が追加されたおむつ６１によって適切に吸収されなかったり、このおむつ６１がしわになって寝心地が悪化したりすることを防止できる。
また、追加されたおむつ６１に排泄物が適切に吸収されることにより、第１の布５に吸収される排泄物の量が少なくなる場合には、洗濯の頻度の減少や汚れの落ち具合の向上も期待できる。
【００３８】
また、図４（ｂ）に示すように、実施例の第４の変形例に係る防水シート１Ｄにおいては、防水シート１Ｃにおける４つの固定部材１６の代わりに、４つの固定部材１７が設けられる。
４つの固定部材１７は、それぞれ直角二等辺三角形状の布片である。これらの固定部材１７は、直角二等辺三角形の底辺に該当する縁部１７ａが、それぞれ第１の辺２ａ乃至第４の辺２ｄに対し、いずれも４５度傾斜した状態で、第１の布５の表面に取り付けられる。また、直角二等辺三角形の斜辺に該当する縁部１７ｂ，１７ｂが、第１の布５の表面に縫着されている。よって、縁部１７ａでは、固定部材１７と第１の布５との間に、隙間Ｓ１７が生じている。
【００３９】
上記構成の防水シート１Ｄにおいては、おむつ６１の四隅６１ａを、四箇所の隙間Ｓ１７に差し込むことにより、四隅６１ａが４つの固定部材１７によってそれぞれ固定される。したがって、防水シート１Ｄは、防水シート１Ｃと同様の作用及び効果を発揮する。なお、防水シート１Ｄにおいては、４つの固定部材１７の代わりに、長方形状をなす２つの固定部材が、おむつ６１の左右両側の辺を差し込み可能な隙間を空けて設置されても良い。
【００４０】
なお、本考案に係る防水シートは、実施例に示すものに限定されない。例えば、第３の布７は、シート体２の第１の辺２ａ寄りにおいて、第２の布６の側に設けられても良い。この場合、第３の布８は、シート体２第２の辺２ｂ寄りにおいて、第１の布５の側に設けられる。
また、第１の係着部３及び第２の係着部４は、その長手方向が第３の辺２ｃに沿って配置される以外に、それぞれ第１の辺２ａ及び第２の辺２ｂに沿って配置されても良い。さらに、第１の係着部３及び第２の係着部４は、面ファスナーの代わりに、スナップといった点ファスナーや、紐体が用いられても良い。
このほか、第１の布５と第２の布６、第２の布６と第３の布８は、それぞれ熱圧着シート９Ａ，９Ｂで熱圧着される代わりに、布用の接着剤で貼り合わされても良く、第２の布６は、透湿防水性を有する布体が利用されても良い。
【産業上の利用可能性】
【００４１】
本考案は、介護が必要な被介護者や、病人の胴部に巻き付けて装着する防水シートとして利用可能である。
【符号の説明】
【００４２】
１，１Ａ〜１Ｄ…防水シート  ２…シート体  ２ａ…第１の辺  ２ｂ…第２の辺  ２ｃ…第３の辺  ２ｄ…第４の辺  ３…第１の係着部  ４…第２の係着部  ５…第１の布  ５ａ…周縁  ６…第２の布  ７，８…第３の布  ９Ａ，９Ｂ…熱圧着シート  １０…合わせ部  １１，１２…被覆部  １３…防水性布体  １４…周縁  １５…熱圧着シート  １６，１７…固定部材  １６ａ…端部  １７ａ，１７ｂ…縁部  ５０…被介護者  ５１…胴部  ５２…腹部  ５３…膝  ６０…おむつカバー  ６１…おむつ  ６１ａ…四隅
【図１】
0003226842.tif 000003
【図２】
0003226842.tif 000004
【図３】
0003226842.tif 000005
【図４】
0003226842.tif 000006